(57)【要約】      （修正有）【課題】別部材として樹脂材を採用する挟持工具において、当該樹脂材をキャップ状にして挟持作用部に装着する新規な挟持工具を提供する。【解決手段】基方を把手とし先方を挟持作用部２ａとした２個の挟持体を交差させ、交差箇所を枢結（枢結軸４、軸長孔５）した金属製の工具本体と、前記挟持作用部に装着する樹脂製の挟持部材Ｂとで構成し、挟持部材Ｂが適宜な挟持面６を備えると共に挟持作用部の外形に対応する内部形状を備えて被冠装着可能な下方開口のキャップ形状に形成され、工具本体と挟持部材Ｂとに挟持部材の弾性で係止される係止構造（顎部２１及び係止段差と係止段差との係止）を付設してなる。【選択図】図２
0003211427.tif 000002
【実用新案登録請求の範囲】
【請求項１】
基方を把手とし先方を挟持作用部とした２個の挟持部材を交差させ、交差箇所を枢結した金属製の工具本体と、前記挟持作用部に装着する樹脂製の挟持部材とで構成し、挟持部材が適宜な挟持面を備えると共に挟持作用部の外形に対応する内部形状を備えて被冠装着可能な下方開口のキャップ形状に形成され、工具本体と挟持部材とに挟持部材の弾性で係止される係止構造を付設してなることを特徴とした挟持工具。
【請求項２】
工具本体の挟持作用部が、他方挟持部材との枢結箇所の摺動面側に顎部を備えると共に、当該顎部形成面と反対面の適宜箇所に枢結する箇所が低くなる係止段差を設け、挟持部材における前記顎部及び係止段差に対応する箇所に係止突条を設けてなる請求項１記載の挟持工具。
【請求項３】
挟持部材における挟持面と反対面に、開口端から適宜長さの切欠溝を形成してなる請求項２記載の挟持工具。
【請求項４】
工具本体の挟持作用部における対向面を挟持面に形成してなる請求項１乃至３記載の何れかの挟持工具。
【考案の詳細な説明】
【技術分野】
【０００１】
本考案は、ペンチやプライヤーなどの挟持工具に関するものである。
【背景技術】
【０００２】
ペンチやプライヤーなどの挟持工具は、基方を把手とし先方を挟持作用部とした一対の挟持体を交差させ、交差箇所を枢結して構成されるもので、挟持作用部の形状を使用目的対応した幅広形状や細幅形状を採用し、枢結部分も挟持作用部の開口角度を変更するために、一方の挟持部材に枢結軸位置を変更可能とした長孔を採用している工具（プライヤー）も周知である。
【０００３】
また種々の目的で挟持作用部における挟持面に別部材で構成した挟持部を設けた工具も知られている。例えば特許文献１には、軽量合金製工具において挟持部を鋼製挟着板を採用しており、特許文献２には、挟持対象物を傷つけないように挟持部に装着する樹脂製の部材が開示されている。
【先行技術文献】
【特許文献】
【０００４】
【特許文献１】特開平８−２７６３６８号公報。
【特許文献２】意匠登録第８２８３０８号公報。
【考案の概要】
【考案が解決しようとする課題】
【０００５】
前記の特許文献１，２に開示されている挟持部に装着する別部材の固着手段は、挟持部の挟持面から外側に向かって螺子止めしているものである。即ち挟持面に鋲頭が存在し、且つ当該鋲頭が挟持面から沈んだ状態での装着が必要となり、別部材の製造が煩瑣であり、また別部材が樹脂材を採用したソフトタッチの挟持工具の場合には、当該別部材の摩耗による取り換えが面倒である。
【０００６】
そこで本考案は、別部材として樹脂材を採用する挟持工具において、当該樹脂材をキャップ状にして挟持作用部に装着する新規な挟持工具を提案したものである。
【課題を解決するための手段】
【０００７】
本考案の請求項１記載に係る挟持工具は、基方を把手とし先方を挟持作用部とした２個の挟持体を交差させ、交差箇所を枢結した金属製の工具本体と、前記挟持作用部に装着する樹脂製の挟持部材とで構成し、挟持部材が適宜な挟持面を備えると共に挟持作用部の外形に対応する内部形状を備えて被冠装着可能な下方開口のキャップ形状に形成され、工具本体と挟持部材とに挟持部材の弾性で係止される係止構造を付設してなることを特徴としたものである。
【０００８】
而して工具本体の挟持作用部に挟持部材を被冠装着すると、挟持面を樹脂としたソフトタッチの挟持工具となり、係止構造によって挟持部材の不測の分離が防止されると共に、弾性力に抗して取り外すことも可能となり、損耗時の交換も容易に行うことができる。
【０００９】
また本考案の請求項２記載に係る挟持工具は、特に工具本体の挟持作用部が、他方挟持部材との枢結箇所の摺動面側に顎部を備えると共に、当該顎部形成面と反対面の適宜箇所に枢結箇所が低くなる係止段差を設け、挟持部材における前記顎部及び係止段差に対応する箇所に係止突条を設けてなるもので、挟持部材を被冠装着すると、係止突条が顎部及び係止段差に係止されて装着される。
【００１０】
本考案の請求項３記載に係る挟持工具は、更に挟持部材における挟持面と反対面に、開口端から適宜長さの切欠溝を形成してなるもので、係止突条形成箇所の弾性機能が発揮し易くなるものである。
【００１１】
また本考案の請求項１記載に係る挟持工具は、工具本体の挟持作用部における対向面を挟持面に形成してなるもので、挟持部材を装着しない工具本体のみでも挟持工具として使用できるようにしたものである。
【考案の効果】
【００１２】
本考案の構成は上記のとおり樹脂製のキャップ状の挟持部材を工具本体の挟持作用部に樹脂の弾性力を利用して係止して被冠装着してなるもので、樹脂挟持面を備えた挟持工具を簡易な手段で提供することができたものである。
【図面の簡単な説明】
【００１３】
【図１】本考案の第一実施形態の金具本体の全体斜視図。
【図２】同挟持部材の装着説明図。
【図３】同挟持部材を装着した工具の全体図。
【図４】同挟持部材の説明図。
【図５】本考案の第二実施形態の金具本体の全体斜視図。
【図６】同挟持部材の装着説明図。
【図７】同挟持部材を装着した工具の全体図。
【図８】同挟持部材の説明図。
【考案を実施するための形態】
【００１４】
次に本考案の第一の実施形態について説明する。図１乃至４はウォーターポンププライヤに本考案を適用した例で、金具本体Ａと挟持部材Ｂで構成する。
【００１５】
金具本体Ａは基本的に通常のウォーターポンププライヤと同様に、基方を把手１ａ，１ｂとし、先方を挟持作用部２ａ，２ｂとした２個の挟持体ａ，ｂで構成され、把手１ａ，１ｂと挟持作用部２ａ，２ｂの中間部分３ａ，３ｂでは、一方の挟持体ａは枢結軸４を備え、他方の挟持体ｂは、軸支内面を多段に設けた軸長孔５を設け、当該中間部分３ａ，３ｂを重ね合わせて枢結してなるものである。
【００１６】
特に挟持作用部２ａ，２ｂは、他方挟持体との枢結箇所（中間部分３ａ，３ｂ）の摺動面側に、通常の工具と同様に所定幅の挟持面２３を備えるために顎部２１を設けて、挟持作用部２ａ，２ｂと中間部分３ａ，３ｂの境界とし、更に通常工具では平滑面となる当該顎部２１の形成面と反対面に、顎部２１と対応する箇所に中間部分３ａ，３ｂ側が低くなる係止段差２２を設け、また挟持作用部２ａ，２ｂの対向面は滑り止めを施した挟持面２３としてなるものである。
【００１７】
挟持部材Ｂは、樹脂製で金具本体Ａの挟持作用部２ａ，２ｂに被冠装着されるように、挟持作用部２ａ，２ｂの外形に対応する内部形状を備えて被冠装着可能な下方開口のキャップ形状に形成したものである。
【００１８】
前記挟持部材Ｂを挟持作用部２ａ，２ｂに装着した際における挟持対向面を、適宜な滑り止め突条を形成した挟持面６とし、挟持面６に隣接する表背面７は、挟持作用部２ａ，２ｂの外形に対応して、その開口端縁に顎部２１及び係止段差２２と対応する係止突条７ａを設けてなり、更に挟持面６と反対側となる外側面８には、開口端から適宜幅及び長さの切欠溝８１を形成したものである。
【００１９】
而して金具本体Ａは、そのままの状態で通常のウォーターポンププライヤとして使用できるが、挟持部材Ｂを挟持作用部２ａ，２ｂに被冠装着すると、挟持部材Ｂの係止突条７ａが、顎部２１と係止段差２２に引っ掛かり抜け止めとなり、挟持部材Ｂが挟持作用部２ａ，２ｂと一体化される。
【００２０】
そうすると工具挟持箇所が、樹脂製被覆を施した工具と同様となり、柔らかなタッチでの挟持を実現する工具となる。
【００２１】
図５乃至８は第二の実施形態を示したもので、コンビネーションプライヤに本考案を適用した例で、金具本体Ｃと挟持部材Ｄで構成される。
【００２２】
金具本体Ｃは基本的に通常のコンビネーションプライヤと同様に、基方を把手１ｃ，１ｄとし、先方を挟持作用部２ｃ，２ｄとした２個の挟持体ｃ，ｄで構成され、把手１ｃ，１ｄと挟持作用部２ｃ，２ｄの中間部分３ｃ，３ｄを交差させ、一方の挟持体ｃには枢結軸４を備え、他方の挟持体ｄには、瓢箪形状の軸孔５０を設けて枢結してなるものである。
【００２３】
特に挟持作用部２ｃ，２ｄは、所定の幅を有する挟持面２３を備えるために他方挟持体との枢結箇所の摺動面側に、顎部２１を設けてなり、更に通常工具では平滑面となる当該顎部２１の形成面と反対面における枢結軸４及び軸孔５０を形成した箇所を、浅い凹状部３０に形成し、挟持作用部２ｃ，２ｄとの境界を係止段差２２としたものである。また挟持作用部２ｃ，２ｄの対向面である挟持面２３は滑り止め突条を設けてなる。
【００２４】
挟持部材Ｄは、前記の第一実施形態の挟持部材Ｄと同様に樹脂製で金具本体Ｃの挟持作用部２ｃ，２ｄに被冠装着されるように、先方を挟持作用部２ｃ，２ｄの外形に対応する内部形状を備えて被冠装着可能なキャップ形状に形成してなる。
【００２５】
特に挟持作用部２ｃ，２ｄに装着した際の挟持対向面を適宜な滑り止め突条を形成した挟持面６とするが、挟持面６に隣接する表背面部７１，７２の内、一方の顎部２１を備えた摺動面側に装着される表面部７１が顎部２１までの長さとし、開口端縁に顎部２１に係止される係止突条７１ａを設けてなる。
【００２６】
また凹状面３０を形成した側に装着される背面部７２は、係止段差２２の位置に対応する長さまで延設し、その端縁に係止段差２２に係止される係止突条７２ａを設けてなる。
【００２７】
更に挟持面６と反対側となる外側面８には、開口端から適宜幅及び長さの切欠溝８１を形成するものである。
【００２８】
而して金具本体Ｃは、そのままの状態で通常のコンビネーションプライヤとして使用できる他、挟持部材Ｄを挟持作用部２ｃ，２ｄに被冠装着すると、挟持部材Ｄの係止突条７１ａ，７２ａが、顎部２１と係止段差２２に引っ掛かり抜け止めとなり、挟持部材Ｄが挟持作用部２ｃ，２ｄに確りと装着されることになる。
【００２９】
そうすると工具挟持箇所が、樹脂製被覆を施した工具と同様となり、柔らかなタッチでの挟持を実現する工具となる。
【符号の説明】
【００３０】
Ａ，Ｃ    金具本体
ａ，ｂ，ｃ，ｄ  挟持体
Ｂ，Ｄ    挟持部材
１ａ，１ｂ，１ｃ，１ｄ  把手
２ａ，２ｂ，２ｃ，２ｄ  挟持作用部
２１    顎部
２２    係止段差
２３    挟持面
３ａ，３ｂ，３ｃ，３ｄ    中間部分
３０    凹状部
４      枢結軸
５      軸長孔
５０    軸孔
６      挟持面
７      表背面
７１    表面部
７２    背面部
７ａ，７１ａ，７２ａ  係止突条
８      外側面
８１    切欠溝
【図１】
0003211427.tif 000003
【図２】
0003211427.tif 000004
【図３】
0003211427.tif 000005
【図４】
0003211427.tif 000006
【図５】
0003211427.tif 000007
【図６】
0003211427.tif 000008
【図７】
0003211427.tif 000009
【図８】
0003211427.tif 000010